(57)【要約】【課題】蓋体等の部材の脱着を行うことなく鍵穴の被覆状態と非被覆状態を簡易に変更できる遊技機の鍵穴被覆構造を提供する。【解決手段】  遊技機の前面の一側部に設けた開口４３にシリンダ錠５の鍵穴を臨ませ、開口４３を閉鎖する閉鎖位置と、開口４３を開放する開放位置とに変位可能な蓋部材６を遊技機に予め設けるとともに、蓋部材６を閉鎖位置または開放位置の少なくとも何れかで係脱可能に保持する凸部４６と凹溝６５を備える。【選択図】        図２
2008237474.tif 000002
【特許請求の範囲】
【請求項１】
遊技機の前面の一側部に設けた開口内にシリンダ錠の鍵穴を臨ませ、前記開口を閉鎖する閉鎖位置と、前記開口を開放する開放位置とに変位可能な蓋部材を前記遊技機に予め設けるとともに、前記蓋部材を前記閉鎖位置または開放位置の少なくとも何れかで係脱可能に保持する保持機構を備えたことを特徴とする遊技機の鍵穴被覆構造。
【発明の詳細な説明】
【技術分野】
【０００１】
本発明は遊技機の鍵穴被覆構造に関し、特に鍵穴の被覆状態と非被覆状態を、部材を脱着することなく行うことができる遊技機の鍵穴被覆構造に関する。
【背景技術】
【０００２】
パチンコ遊技機等の遊技機のガラス枠や本体枠を開放する場合には、遊技機の前面の一側部に設けた開口内にシリンダ錠を位置させ、その鍵穴に鍵を差し込んで行うようにしたものが多い。ところで近年においては、リモコン操作によって電動でガラス枠等の施錠解錠を行うことも可能にした遊技機があり、電動での施錠解錠が選択されている場合に鍵穴が露出していると、手動での施錠解錠であるとの誤解を与えたり、露出する鍵穴が悪戯の対象になったりする。なお、特許文献１には、モータ駆動のワイヤによって施解錠用可動部の解錠方向への移動を規制することによって、鍵を使用した解錠操作を規制するようにしたパチンコ台施錠ロック装置が示されている。
【特許文献１】特開２００２−１８０７９
【発明の開示】
【発明が解決しようとする課題】
【０００３】
そこで、電動の施錠解錠が選択されている場合には、手動での施錠解錠であるとの誤解や鍵穴が悪戯の対象になるのを防止するために、鍵穴開口にこれを閉塞するためのカバーを装着しておき、手動による施錠解錠を選択する場合には上記カバーを取り外して開口内の鍵穴を外方へ露出させることが考えられる。しかし、上記カバーの脱着は遊技機構造の変更に当たる可能性があるため、ホール側で自由にカバーを付けたりはずしたりすることはできないという問題があった。
【０００４】
本発明はこのような課題を解決するもので、ホール側で鍵穴の被覆状態と非被覆状態を任意に変更でき、かつ防犯上も効果のある遊技機の鍵穴被覆構造を提供することを目的とする。  
【課題を解決するための手段】
【０００５】
上記目的を達成するために、本発明では、遊技機の前面の一側部に設けた開口（３１，４３）にシリンダ錠（５）の鍵穴（５１）を臨ませ、開口（３１，４３）を閉鎖する閉鎖位置と、開口（３１，４３）を開放する開放位置とに変位可能な蓋部材（６，７）を遊技機に予め設けるとともに、蓋部材（６，７）を閉鎖位置または開放位置の少なくとも何れかで係脱可能に保持する保持機構（４６，６５，９）を備える。
【０００６】
電動でガラス枠等の施錠解錠する場合には、蓋部材を閉鎖位置に変位させておけば、開口が閉鎖されて被覆状態となり、シリンダ錠の鍵穴に鍵を差し込むことはできない。これにより、手動での施錠解錠であるとの誤解が生じたり、鍵穴が悪戯の対象になったりすることはない。手動によるガラス枠等の施錠解錠をする場合には、蓋部材を開放位置に変位させておけば、開口が開放されて非被覆状態となり、シリンダ錠の鍵穴が開口内に露出する。これにより、施錠解錠を、シリンダ錠の鍵穴内に鍵を差し込んで手動で行うことができる。
【０００７】
なお、上記蓋部材（７）を正逆直進可能に設けて、正方向への直進で閉鎖位置に位置させるとともに、逆方向への直進で開放位置に位置させる構成とすることができる。
【０００８】
また、上記蓋部材（６）を正逆旋回可能に設けて、正方向への旋回で閉鎖位置に位置させるとともに、逆方向への旋回で開放位置に位置させる構成とすることができる。
【０００９】
上記蓋部材（６，７）にこれを上記閉鎖位置および開放位置の少なくとも一方へ操作する操作部（６１，７１）を設け、当該操作部（６１，７１）を遊技者から遮蔽された遊技機部分に位置させる構成とすることができる。
【００１０】
なお、上記カッコ内の符号は、後述する実施形態に記載の具体的手段との対応関係を示すものである。
【発明の効果】
【００１１】
本発明の遊技機の鍵穴被覆構造によれば、電動・手動の施解錠の設定変更に応じ、予め遊技機に設けられた蓋部材を開放位置と閉鎖位置へ任意に移動させることによって、カバーを脱着することなく、すなわち遊技機構造の変更を生じることなく、ホール側で鍵穴の被覆状態と非被覆状態を任意に変更することができる。
【発明を実施するための最良の形態】
【００１２】
（第１実施形態）
図１には本発明の鍵穴被覆構造を備えるパチンコ遊技機の全体斜視図を示す。図１は本体枠１の上半部に設置された遊技盤２を覆うガラス枠３を開放した状態を示し、上記本体枠１の下半部にこれと一体に設けられた前板４には上半中央に球皿４１が設けられるとともに、右側部下方位置には球発射用ハンドル４２が設けられている。そして、前板４の右側部上方位置に円形開口４３が形成されて、その後方に本体枠１に設けられたシリンダ錠５が位置している（図２）。シリンダ錠５は鍵穴５１（図１参照）を形成した前端面５２が、開口４３に対し一定の間隔を空けてその後方に位置させられている。
【００１３】
上記開口４３の上縁に近い前板４の裏面には支持柱４４が立設されて、その先端内にねじ込まれたネジ部材４５に蓋部材６が旋回可能に装着されている。蓋部材６は板体を屈曲成形したもので、図２に示すように、上下方向へ延びる操作部６１と、操作部６１の下端から前方へ水平に屈曲する中間部６２と、中間部６２の前端から下方へ屈曲する蓋部６３とから構成されている。
【００１４】
操作部６１は一定幅の長板状をなし（図３）、その下端部に形成された通孔６１１が上記ネジ部材４５に旋回可能に嵌装されるとともに、前板４の上縁から上方へ進出する操作部６１（図１参照）の上端部には、前方へ突出する矩形の操作片６４が屈曲形成されている。操作部６１の幅方向中央部は一定幅で凹陥させられて（図４）操作部６１の長手方向へ延びる凹溝６５が形成されている。
【００１５】
そして、操作部６１が起立した状態の図示の閉鎖位置では、前板４の上縁裏面に突出形成された弾性を有する凸部４６が凹溝６５（図２、図４）内に進入してこれに係合し操作部６１が起立姿勢に保持されている。このような凹溝６５と凸部４６は、請求項における保持機構を構成している。上記蓋部６３は上記開口４３を覆うのに十分な大きさを有しており、操作部６１が起立した閉鎖位置にある場合には、蓋部材６の蓋部６３は、図２に示すようにシリンダ錠５の前端面５２と開口４３の間に位置して当該開口４３を閉鎖している。  
【００１６】
このような状態でガラス枠３を閉めておけば、開口４３が蓋部材６で閉鎖されているからシリンダ錠５の鍵穴５１に鍵を差し込むことはできない。したがって、手動での施錠解錠であるとの誤解が生じたり、鍵穴５１が悪戯の対象になることはない。蓋部材６の操作部６１は閉鎖されたガラス枠３の後方で遊技者から遮蔽されるから、遊技者による勝手な操作が行われることはなく、この際のガラス枠３および本体枠１の開放は遊技機内に設けられた図示外の電動機構によって行われる。
【００１７】
手動による施錠解錠をする場合には、ガラス枠３を開けた状態で、前板４の上縁から上方へ進出している操作片６４を掴んで操作部６１を一定以上の力で押しやると、凹溝６５が凸部４６から開放され、蓋部材６が正面から見て時計方向へ旋回して（図１の鎖線）開放位置へ移動させられる。この開放位置では蓋部材６の蓋部６３が開口４３直後の位置から側方へずれて開口４３が開放され、シリンダ錠５の前端面５２が開口４３内に露出する。操作部６１が傾倒させられた蓋部材６の開放位置において上記操作部６１の凹溝６５内には前板４の裏面等に形成された他の凸部（図示略）が進入して蓋部材６は確実に開放位置に保持される。
【００１８】
このような状態でガラス枠３を閉めておけば、蓋部材６の操作部６１はガラス枠３の後方で遊技者から遮蔽されているから、遊技者による勝手な操作が行われることはない。ガラス枠３や本体枠１を開放する場合には、シリンダ錠５の鍵穴５１内に鍵を差し込んで手動で行うことができる。なお、上記凹溝と凸部に代えて、蓋部材６を操作部６１の自重によって傾倒した開放位置に維持するようにしても良い。
【００１９】
（第２実施形態）
本実施形態では鍵穴被覆構造を、図５に示す遊技機のガラス枠３に設けた開口３1に設置する。この場合の鍵穴被覆構造の断面図を図６に示し、図７にはその正面図を、図８にはその平面図をそれぞれ示す。ガラス枠３の上記開口３１の背後には本体枠１（図５）に設けられたシリンダ錠５が位置している。蓋部材７は板体を逆Ｌ字形に屈曲させて上端に水平な操作壁７１を形成したもので、板体の幅は開口３１を覆うのに十分な大きさとしてあり、その両側縁が、開口３１を挟んでその両側のガラス枠３部に配設されたレール部材８（図７）によって上下方向へガイドされるようになっている。
【００２０】
上記操作壁７１の下方には保持機構を構成する保持部材９が配設されている。保持部材９は平面視（図８）で欠円形で、その一側端部が軸部材９１によって水平旋回可能に支持されている。軸部材９１は図略のブラケットによってガラス枠３に垂直姿勢で取付けられている。蓋部材７を図示のように上方の開放位置へ引き上げておくと開口３１は開放され（図６、図７）、この状態で保持部材９を蓋部材７の操作壁７１の下方へ旋回させて当該操作壁７１を保持部材９上面に係止させることにより、蓋部材７は開口３１を開放する開放位置に保持される。  
【００２１】
このような状態でガラス枠３を閉めておけば、蓋部材７の操作壁７１はガラス枠３の後方で遊技者から遮蔽されているから、遊技者による勝手な操作が行われることはない。ガラス枠３や本体枠１を手動で開放する場合には、開放した開口３１内に位置するシリンダ錠５の前端面５１の鍵穴５１内に鍵を差し込んで開放させることができる。
【００２２】
上記開口３１を閉鎖しておく場合には、操作壁７１を掴んで蓋部材７を一旦上昇させた後、保持部材９を平面視で時計方向へ旋回させて操作壁７１の直下から側方へ退避させる（図９）。これにより蓋部材７の下方移動が可能となり、これを下方の閉鎖位置へ移動させて開口３１を閉鎖する。蓋部材７はレール部材８の下端閉鎖壁８１に当接して、自重によって閉鎖位置に保持される。
【００２３】
このような状態でガラス枠３を閉めておけば、開口３１が蓋部材７で閉鎖されているからシリンダ錠５の鍵穴５１に鍵を差し込むことはできず、手動での施錠解錠であるとの誤解や鍵穴５１が悪戯の対象になることはない。蓋部材７の操作壁７１はガラス枠３の後方で遊技者から遮蔽されているから、遊技者により勝手な操作が行われることもない。この際のガラス枠３および本体枠１の開放は遊技機内に設けられた図示外の電動機構によって行われる。以上のスライド式鍵穴被覆構造は、ガラス枠のような、スペース的に余裕がない箇所にも設置可能である。
【００２４】
以上説明したように、本発明の鍵穴被覆構造では、遊技機に予め蓋部材を設け、この蓋部材を鍵穴開放位置、閉鎖位置に選択的に移動させられるようにしたので、遊技機の構造変更を生じさせることなく、ホール側で鍵穴の被覆状態と非被覆状態を任意に変更することができる。なお、蓋部材は上記各実施形態で示したような前板やガラス枠側に設けるのに代えて、本体枠側に設けても良い。また、蓋部材を金属製にすれば防犯効果を上げることができる。一方、蓋部材を樹脂製とすれば遊技機本体と意匠的にマッチしたものとなる。なお、蓋部材の開閉機構および保持機構は以上に例示したものには限定されない。
【図面の簡単な説明】
【００２５】
【図１】本発明の第１実施形態における、鍵穴被覆構造を備えるパチンコ遊技機の全体斜視図である。
【図２】鍵穴被覆構造の垂直断面図である。
【図３】蓋部材の斜視図である。
【図４】蓋部材の横断面図で、図３のIV-IV線に沿った断面図である。
【図５】本発明の第２実施形態における、鍵穴被覆構造を備えるパチンコ遊技機の全体斜視図である。
【図６】鍵穴被覆構造の垂直断面図である。
【図７】開口開放状態の鍵穴被覆構造の正面図である。
【図８】鍵穴被覆構造の平面図である。
【図９】開口閉鎖状態の鍵穴被覆構造の平面図である。
【符号の説明】
【００２６】
３…ガラス枠、３１…開口、４…前板、４３…開口、４６…凸部（保持機構）、５…シリンダ錠、５１…鍵穴、６…蓋部材、６１…操作部、６５…凹溝（保持機構）、７…蓋部材、７１…操作壁（操作部）、９…保持部材（保持機構）。
【図１】
2008237474.tif 000003
【図２】
2008237474.tif 000004
【図３】
2008237474.tif 000005
【図４】
2008237474.tif 000006
【図５】
2008237474.tif 000007
【図６】
2008237474.tif 000008
【図７】
2008237474.tif 000009
【図８】
2008237474.tif 000010
【図９】
2008237474.tif 000011